(57)【要約】【課題】買物客が、買物籠を持参し買物する際、レジにて迅速に買物籠の開口部を覆うことができ、長尺大型商品を含む商品や購入商品の量が増した場合に、ある程度の範囲内で増えた購入商品を入れることが出来、購入した商品が丸見えの状態を回避し、保温保冷効果があり、商品を持ち帰るのにイメージの良い買物籠カバー。【解決手段】買物客が持参するマイバスケット、所謂マイ籠の内面に装着しうる形状に形成された内袋と、該籠の外側に周囲のカバー本体と、該籠の上部を覆うことが出来、該籠の側面に係止が出来る開口部カバーを有し、購入商品の目隠しが出来、買物籠の外側面に係止する垂下カバー係止手段を持ち、買物籠の開口部をカバー本体で覆い、買物籠の断熱シートによる内袋を買物籠内部に収容し、迅速に開口部を覆うことが可能となった買物籠カバー。【選択図】図１
0003145592.tif 000002
【実用新案登録請求の範囲】
【請求項１】
買物客が持参するマイバスケット、所謂マイ籠の内面に装着しうる形状に形成された内袋と、該籠の外側に周囲のカバー本体と、該籠の上部を覆うことが出来、該籠の側面に係止が出来る開口部カバーを特徴とする買物籠カバー。
【請求項２】
前記カバー本体は、前記マイ籠の外側に周囲を囲むように覆った請求項１記載の買物籠カバー。
【請求項３】
前記カバー本体は、前記マイ籠の上部を覆うことが出来、該籠の側面に係止が出来る開口部カバーを有する請求項１記載の買物籠カバー。
【請求項４】
前記カバー本体は、前記マイ籠に装着時に於いて、握り手を前記マイ籠より外し、握り手受け台へ装着し、前記カバー本体の穿孔に被せる請求項２記載の買物籠カバー。
【請求項５】
前記内袋は、前記マイ籠に内袋を折り曲げ設置し、前記マイ籠からズレが生じない固定手段を持つ請求項１記載の買物籠カバー。
【請求項６】
前記内袋は、前記マイ籠に装着時に於いて、握り手を前記マイ籠より外し、握り手受け台へ装着し、前記カバー本体の穿孔に被せる請求項５記載の買物籠カバー。
【請求項７】
前記内袋は、断熱シートの縫合の際、上下に布・紙などのテープを合わせ縫いこむ方法で縫製した買物籠カバー。
【考案の詳細な説明】
【技術分野】
【０００１】
本考案は、買物籠に装着する買物籠用カバーに関するものである。
【背景技術】
【０００２】
近年、ゴミの減量化およびＣＯ２排出量削減が提唱され、スーパーマーケットなどの店舗に於いては、従来、買物客に対して、商品を入れるレジ袋（いわゆるビニール袋）を無償で配布していたが、できる限りこのような袋を使用しないように種々の方策が検討されている。この一方策として、買物籠（例えば、プラスチック製の買物用バスケット）を、そのまま買物客に自宅まで持ち帰ってもらうマイバスケットや自分用の買物バッグをマイバッグとして、持参をするよう国や地域、環境団体等で盛んに呼び掛けられるようになっている。かかるマイバスケット、マイバッグを持参するには、店舗側にとっては、レジ袋を提供する必要がなく、コストの削減が出来る。他方、買物客側にとっては、精算後に、買物籠から袋へ商品を入れ替える必要がなく、双方にとってメリットがある。また、地球環境に於いては、ゴミの削減、ＣＯ２削減となり、環境負荷を軽減出来る。
【０００３】
特許第３５４７７０５号（特許文献１）に記載される買物かごの内面に沿わせて装着しうる形状に形成されたバッグは、買物かご装着時に買物かごの周壁上端縁から外側に折り返され、その先端縁に紐通し部があり、商品をレジに於いて精算を終えた後に、紐通し部に装着された開閉用紐を絞ることによってバッグ本体の上端開口部を覆い、そのまま持ち帰ることができるバッグである。
【０００４】
また、特開２００７−０２１１３０号（特許文献２）に開示される発明は、着脱式の天板を買い物カゴの上部に取り付けることで分別収納ができ、買い物は店内のカゴに入れて持ち運びでき、精算のときに開けて使用できる折りたたみ式買い物カゴである。
【０００５】
特開２００５−２０２９０５号（特許文献３）に記載されるシステムは、店内で使用されている買物かごの店外持出しを、希望者に対して預金と引換えに可能とし、買物袋の提供は行わないシステムである。
【０００６】
【特許文献１】特許第３５４７７０５号公報（第７頁、図１）
【特許文献２】特開２００７−０２１１３０号公報（第３頁、図１）
【特許文献３】特開２００５−２０２９０５号公報
【考案の開示】
【考案が解決しようとする課題】
【０００７】
購入商品に目隠しをして衛生的に持ち帰ることが可能（第一課題）で、買物の邪魔になりにくく（第二の課題）、迅速に買物籠の開口部を覆うことができ（第三の課題）、冷凍食品などは出来るだけ外気温の影響を受けずに持ち帰れ（第四の課題）、かつ長尺大型商品を含む商品（第五の課題）や購入商品の量が増した場合に、ある程度の範囲内で増えた購入商品を入れることが可能である（第六の課題）、商品を持ち帰るイメージの良い（第七の課題）入れ物が必要となった。
【０００８】
また、車で自宅まで持ち帰る場合、座席に置いたものがカーブを曲がる際やブレーキを踏んだ際に商品が転倒しにくいことも望まれた。（第八の課題）
【０００９】
それらのことを踏まえ改良した買物籠に外側４側面を布地で覆い装着する開口部カバーに於いては、買物籠を運搬中に布地が買物籠からズレ落ちる状態があり、改善が求められた。（第九の課題）
【００１０】
また、断熱シートからなる内袋の取り付けに於いては、買物籠に貼り付ける方法では、購入者の手を煩わせることになり、面倒と感じられる。（第十の課題）
特許文献１に記載する考案は、買物かご装着時に買物かごの周壁上端縁から外側に折り返したり、紐通し部に装着された開閉用紐を絞る手間が掛かる上、使わない時はかさばるものである。
【００１１】
また、特許文献２に記載する考案は、折りたたみ式である上に着脱式の天板であるため、買い物カゴ自体の重量があり、商品をその中に入れ運ぶとさらに重量が増すという問題がある。（第十一の課題）また、大量に購入した商品が収まりきらない問題もある。
【００１２】
特許文献3に記載する考案は、店内で使用されている買物かごの店外持出しが出来るシステムであるが、買物籠を使用する場合、籠の骨組みが見えていることで、見た目に美しくない上、購入した商品が他人に見えてしまい、保冷効果もない。
そこで、本考案の買物籠カバーは、そうような従来の購入した商品を持ち帰る入れ物が有する問題点を解決されるために考えたものである。
【課題を解決するための手段】
【００１３】
本考案の請求項１は、買物客が持参するマイバスケット、所謂マイ籠の内面に装着し
うる形状に形成された内袋と、該籠の外側に周囲のカバー本体と、該籠の上部を覆うことが出来、該籠の側面に係止が出来る開口部カバーを有する買物籠カバーとした。
【００１４】
本考案の請求項２は、前記カバー本体は、前記マイ籠の外側に周囲を囲むように覆った買物籠カバーとした。
【００１５】
本考案の請求項３は、前記カバー本体は、前記マイ籠の上部を覆うことが出来、該籠の側面に係止が出来る開口部カバーを有する買物籠カバーとした。
【００１６】
本考案の請求項４は、前記カバー本体は、前記マイ籠に装着時に於いて、握り手を前
記マイ籠より外し、握り手受け台へ装着し、前記カバー本体の穿孔に被せる買物籠カバーとした。
【００１７】
本考案の請求項５は、前記内袋は、前記マイ籠に内袋を折り曲げ設置し、前記マイ籠からズレが生じない固定手段を持つ買物籠カバーとした。
【００１８】
本考案の請求項６は、前記内袋は、前記マイ籠に装着時に於いて、握り手を前記マイ籠より外し、握り手受け台へ装着し、前記カバー本体の穿孔に被せる買物籠カバーとした。
【００１９】
本考案の請求項７は、前記内袋は、断熱シートの縫合の際、上下に布・紙などのテープを合わせ縫いこむ方法で縫製した買物籠カバー。
【考案の効果】
【００２０】
第一の課題では、買物籠の開口部をカバー本体で覆うことで、購入商品の目隠しをすることができるとともに汚染も防止できる。
【００２１】
第二の課題では、カバー本体を中央部から折り返した状態で買物籠の側方に垂下したカバー本体を、カバー本体と対面する買物籠の外側面に係止する第１・第２の垂下カバー係止手段を備えたことで、買物の邪魔にならない開口部カバーとすることができ、購入商品を吟味している時などに、垂下したカバー本体の先端部が店舗の床面に接触して汚れの防止となる。
【００２２】
第三の課題では、開口部を覆うには、カバー本体の一端部を引き上げてカバー両端部係止手段の係止を外し、そのままカバー本体の一端部を開口部の他端付近に係止するだけでよく、迅速に開口部を覆うことができ、レジでの清算を迅速に行うことが可能となる。
【００２３】
第四の課題に対しては、買物籠の開口部をカバー本体で覆い、買物籠の断熱シートによる内袋を買物籠内部に収容することにより、外気温断熱を講じ、課題が解決できる。内袋を備え、買物籠用の開口部カバーとカバー本体との組合せにより前記課題は解決できる。
【００２４】
第五の課題に対しては、カバー本体の一端部を引き上げてカバー係止手段の係止を外し、そのままカバー本体の一端部を開口部の他端付近に係止する。カバー本体が開口部を覆い、買物籠の脇から引き出し可能としたことにより、長尺大型商品でも開口部をカバー本体で覆いつつ安定した状態で持ち帰ることができる。
【００２５】
第六の課題に対しては、カバー本体の一端部を引き上げてカバー係止手段の係止を外し、そのままカバー本体の一端部を開口部の他端付近に係止する。開口部を覆うカバー本体の長さを調節可能としたことにより、購入商品の大きさや数に合わせてカバー本体のゆとりのある長さの範囲で係止位置を調整することができ、課題が解決できる。
【００２６】
第七の課題に対しては、買物籠に外側４側面を布地で覆い装着することで、デザイン性に優れたものとなる。
【００２７】
第八の課題に対しては、買物籠を使用することにより、袋状のものと比べ底面が広く安定しているので、転倒がしにくい。
【００２８】
第九の課題に対しては、買物籠の握り手を取り外し、買物籠の握り手の位置に握り手受け穿孔を通すための布地への穿設を設けたことにより、買物籠の握り手受け穿孔台に布地の穿孔を被せ、取り外した握り手を元通り取り付けることにより、布地が買物籠からズレ落ちる状態の課題が解決できる。
【００２９】
第十の課題に対しては、内袋を買物籠に貼り付けるのではなく、断熱シートを縫い合わせ、袋状にし、買物籠に４方の角に引っ掛けるだけで取り付けるか、買物籠周壁上端縁から外側に折り返すことにより固定し、伸縮ゴムを取り付けた。購入者の手を煩わせることがなくなった。
【００３０】
第十一の課題に対しては、本考案の買物籠カバーでカバーしている買物籠はプラスチック製であり、軽量であるため、重いものを入れて持ち運びには最適であり、買物籠自体の重量に於いて、客の負担にならない。
【考案を実施するための最良の形態】
【００３１】
買物客が持参するマイバスケット、所謂マイ籠の内面に装着しうる形状に形成された内袋と、該籠の外側に周囲のカバー本体と、該籠の上部を覆うことが出来、該籠の側面に係止が出来る開口部カバーを有し、購入商品の目隠しが出来、買物籠の外側面に係止する垂下カバー係止手段を持ち、買物籠の開口部をカバー本体で覆い、買物籠の断熱シートによる内袋を買物籠内部に収容し、迅速に開口部を覆うことが可能となった買物籠カバー。
【００３２】
以下、本考案の実施の形態について図１から図3を用いて説明する。図１は本考案のカ
バー付き買物籠に商品を入れる前の状態斜視図、図２は開口部カバーを買物籠側方に引き
出した状態を示す斜視図、図３は本考案のカバー付き買物籠に商品を入れ、開口部カバー
を係止した斜視図である。
【００３３】
本考案は、カバー本体３と開口部カバー１を有し、開口部覆設係止手段４と第１の垂下
カバー係止手段５と第２の垂下カバー係止手段６とにより構成する。
【００３４】
最初に開口部カバーを有する買物籠カバーについて説明する。本考案を使用するには、購入した商品が入った店舗の買物籠をレジで清算してもらうときに、自らが持参した本考案を取り付けた籠をレジ台に載せ、開口部カバー１は図１に示すように、買物籠２の側面に折り返した状態であり、第１の垂下カバー係止手段５と第２の垂下カバー係止手段６とにより係止し、商品を入れる前の状態にする。
【００３５】
図２に示すように、開口部カバー１は、面ファスナー１２を引っ張り、外し、開口部カバー１を買物籠側方に引き出すことが出来る。図２の状態から、商品に開口部カバー１を覆い被せ、開口部カバーを係止した図３の状態とすることにより、使用出来る。
【００３６】
以下本考案の作り方及び取り付け方を説明する。図４は、断熱シート８で作成した内
袋７の分解図である。図４に示す内袋底部１５と４側面の内袋幅狭側面部１６と内袋幅広側面部１７を縫い合わせ・接着などにより固定し、内袋７となる図４以外に内袋底部１５の両側に一対の内袋幅狭側面部１６を一枚のものとしたり、内袋底部１５の両側に一対の内袋幅広側面部１７を一枚として、内袋７を製作することも出来る。
【００３７】
断熱シート８を縫い合わせるには、ミシン針で縫い目に亀裂が入り、破れることがあり、不織布・紙・テープなどを挟み込み縫う。また、断熱シート８の裏面のウレタン素材は、ミシンで縫う際、ミシンの可動送り歯が上手く作動せず、滑りが悪く、断熱シート８が送れない状態となり縫えないため、不織布・紙・テープなどを上下に置き、断熱シート８を挟んだ状態で縫うことにより、ミシンの可動送り歯が上手く作動出来、縫うことが可能となる。
【００３８】
図５は断熱シート８を縫合し、内袋７を買物籠２に収容する状態を示している。買物籠２は、図６の通り内側に引っ張ることで握り手は簡単に取り外し出来る。握り手受け台１０に断熱シート８の断熱シート上握り手装着穿孔１１ｂを被せ、穿孔から握り手受け台１０が覗くよう設置することが出来る。
【００３９】
図７は内袋７に解れ防止伸縮テープ１４を縫合・接着したものである。解れ防止伸縮テープ１４は、伸縮性のあるものが好ましい。
【００４０】
図８は内袋７を買物籠２に収容した状態で、図９は解れ防止伸縮テープ１４なしの内袋を取り付けした状態である。
【００４１】
図１０は本考案の外袋分解図であるが、布地１３からなり、これを縫合・接着などにより外袋のカバー本体３となる。
【００４２】
図１１は断熱シート８と布地１３を縫合し、開口部カバー１となる。布地１３は、図１２に示す通り、断熱シート８を載せ、布地１３を折り込み縫うことにより、断熱シート８がミシン針で縫い目による亀裂での破れを防ぐことが出来る。
【００４３】
図１３は断熱シート８と布地１３を縫合し、開口部カバーを上下に裏返した裏面である。
【００４４】
図１４は開口部カバー１とカバー本体３を縫合・接着などにより一体化する状態を示している。
【００４５】
図１５は買物籠２への装着は、カバー本体３の布地上握り手装着穿孔１１ａの穿設から握り手受け台１０を覗かせ、装着する。そして、握り手９を元通り買物籠２へ取り付けると、装着が完了となる。
【００４６】
図１６は面ファスナー１２凹面、凸面を開口部カバー１の内側及びカバー本体３の側方上部中央付近に接着または縫合により取り付けた開口部覆設係止手段４である。
【００４７】
図１７はカバー本体３に開口部カバー１を買物籠２側方上部に面ファスナー１２凹面、凸面を接着または縫合により、係止した第１の垂下カバー係止手段と、買物籠２側方下部に係止する前の状態である。
【００４８】
図１８はカバー本体３に開口部カバー１を買物籠２側方下部に面ファスナー１２凹面、凸面を接着または縫合により、係止した第２の垂下カバー係止手段である。
【００４９】
以下本考案の使用方法を説明する。スーパーマーケット等の店舗において、カートの上段に店舗用買物籠を置き、下段に本考案を図１の状態で置く。または、本考案のカバー付き買物籠に店舗用買物籠を重ね、ショッピングをする。
【００５０】
購入したい商品をカート上段の店舗用買物籠に入れ、レジ台に商品の入った店舗用買物籠を置き、レジ係に下段から本考案のカバー付き買物籠を取り出す。または本考案のカバー付き買物籠に重ねていた場合も本考案を渡すかレジ台に置く。レジ係により、店舗用買物籠から本考案のカバー付き買物籠へと商品の移動がなされる。
【００５１】
第１の垂下カバー係止手段から係止していた面ファスナーを外し、開口部カバーを買物籠側方に引き出し、図３のように開口部カバーを係止する。清算を済ませ、本考案のカバー付き買物籠を持ち帰ることが出来る。
【００５２】
図１９は本考案のカバー付き買物籠に購入した嵩張る商品や多く購入した商品が入った状態である。
【図面の簡単な説明】
【００５３】
【図１】本考案のカバー付き買物籠に商品を入れる前の状態を説明する斜視図である。
【図２】本考案の開口部カバーを買物籠側方に引き出した状態を示す斜視図である。
【図３】本考案のカバー付き買物籠に商品を入れ、開口部カバーを係止した斜視図である。
【図４】本考案の内袋分解図である。
【図５】本考案のカバー付き買物籠の内袋を収容する状態を示す説明図である。
【図６】買物籠の握り手取り外し説明図ある。
【図７】本考案の内袋斜視図である。
【図８】本考案の内袋装着斜視図である。
【図９】本考案の内袋装着斜視図である。
【図１０】本考案の外袋分解図である。
【図１１】本考案の開口部カバーの説明図である。
【図１２】本考案の開口部カバーの部分拡大断面図である。
【図１３】本考案の開口部カバーを上下に裏返した裏面斜視図である。
【図１４】本考案の開口部カバーとカバー本体の接合状態を示す斜視図である。
【図１５】本考案のカバー本体を買物籠の握り手受け台へ装着する説明図である。
【図１６】カバー本体に開口部カバーで蓋をする状態に係止する説明図である。
【図１７】カバー本体に開口部カバーを買物籠側方に係止する状態の説明図である
【図１８】カバー本体に開口部カバーを買物籠側方に係止した状態の説明図である。
【図１９】本考案の使用例を示す説明図である。
【符号の説明】
【００５４】
１  開口部カバー
２  買物籠
３  カバー本体
４  開口部覆設係止手段
５  第１の垂下カバー係止手段
６  第２の垂下カバー係止手段
７  内袋
８  断熱シート
９  握り手
１０  握り手受け台
１１ａ  布地上握り手装着穿孔
１１ｂ  断熱シート上握り手装着穿孔
１２  面ファスナー
1３  布地
１４  解れ防止伸縮テープ
１５  内袋底部
１６  内袋幅狭側面部
１７  内袋幅広側面部
１８  外袋幅狭側面部
１９  外袋幅広側面部
【図１】
0003145592.tif 000003
【図２】
0003145592.tif 000004
【図３】
0003145592.tif 000005
【図４】
0003145592.tif 000006
【図５】
0003145592.tif 000007
【図６】
0003145592.tif 000008
【図７】
0003145592.tif 000009
【図８】
0003145592.tif 000010
【図９】
0003145592.tif 000011
【図１０】
0003145592.tif 000012
【図１１】
0003145592.tif 000013
【図１２】
0003145592.tif 000014
【図１３】
0003145592.tif 000015
【図１４】
0003145592.tif 000016
【図１５】
0003145592.tif 000017
【図１６】
0003145592.tif 000018
【図１７】
0003145592.tif 000019
【図１８】
0003145592.tif 000020
【図１９】
0003145592.tif 000021
【手続補正書】
【提出日】平成20年7月9日(2008.7.9)
【手続補正１】
【補正対象書類名】実用新案登録請求の範囲
【補正対象項目名】請求項７
【補正方法】変更
【補正の内容】
【請求項７】
前記内袋は、断熱シートの縫合の際、上下に布・紙などのテープを合わせ縫いこむ方法で縫製した請求項１記載の買物籠カバー。